(57)【要約】【課題】基材付着硬化後に外的要因により変形を伴うインキによって高精細かつ微細な絵柄などの連続した色模様の印刷物を得ることを目的とし、外的要因により潜像が浮かび上がる画像を薄膜基材に作成することが可能となる印刷物を提供することを課題とする。【解決手段】印刷基材の一方の面または両面の少なくとも一部の領域において、所定の線幅を有する配線パターンが形成された印刷部を有する印刷物であって、前記印刷部が、吸湿により膨潤する粒子または乾燥により収縮する粒子の少なくともいずれか一方を含有するインキと、前記粒子を含有しないインキとを備え、前記配線パターンは線幅１００μｍ以下の複数の線の組み合わせで構成され、前記複数の線の間隙の幅が、前記間隙を介して隣り合う２本の線のうち細い方の線幅の５０倍以下である印刷物。【選択図】図１
2019018504.tif 000002
【特許請求の範囲】
【請求項１】
印刷基材の一方の面または両面の少なくとも一部の領域において、所定の線幅を有する配線パターンが形成された印刷部を有する印刷物であって、
前記印刷部が、吸湿により膨潤する粒子、または乾燥により収縮する粒子の少なくとも何れか一方を含有するインキと、前記粒子を含有しないインキとを備え、
前記配線パターンは線幅１００μｍ以下の複数の線の組み合わせで構成され、
前記複数の線の間隙の幅が、前記間隙を介して隣り合う２本の線のうち細い方の線幅の５０倍以下であることを特徴とする印刷物。
【請求項２】
前記配線パターンの前記複数の線が、直線または曲線からなり、縞状、同心円状、格子状、放射状のいずれかの形状に配置されてなることを特徴とする請求項１に記載の印刷物。
【請求項３】
前記印刷部に印刷された前記配線パターンが、全体として連続した色模様として観察者に視認されることを特徴とする請求項１又は２に記載の印刷物。
【請求項４】
前記複数の線の線幅の増減の調整によって、前記印刷部の色の濃淡表現が制御可能なことを特徴とする請求項１〜３のいずれか一項に記載の印刷物。
【請求項５】
前記複数の線の少なくとも一部の線が、前記印刷基材の表面に対し１．５μｍ以上の高さの凸構造の断面形状を有する線であることを特徴とする請求項１〜４のいずれか一項に記載の印刷物。
【請求項６】
前記凸構造の断面形状を有する複数の線を有し、当該複数の線のうちの一部の線の高さが、その他の線の高さの１．５倍以上の高さを有することを特徴とする請求項５に記載の印刷物。
【請求項７】
前記凸構造の断面形状を有する複数の線を有し、当該複数の線のうち少なくとも一部の線は、前記インキを複数積層した多層構造となっていることを特徴とする請求項５又は６に記載の印刷物。
【請求項８】
前記複数の線の上に一方向に延在する凸構造の断面形状を有する線を有し、その断面が多角形もしくは曲面形状を任意に組み合わせた形状であることを特徴とする請求項１〜７に記載のいずれか一項に記載の印刷物。
【発明の詳細な説明】
【技術分野】
【０００１】
本発明は、高精細な印刷を有する印刷物に係り、特に、微細カラー印刷に好適であり、広告用の印刷物、玩具・容器包装などに展開可能な技術に関する。
【背景技術】
【０００２】
微細な印刷構造を印刷する方法としては、例えばグラビアオフセット印刷法がある。グラビアオフセット印刷法では、凹部にインキが充填された印刷版から、ブランケットにインキを転移させ、そのブランケット上のインキを印刷基材上に転写することで印刷が行われる。
【０００３】
例えば特許文献１には、配線構造を有するタッチパネル用導電性部材の製造方法における、額縁部分へのパターン化された配線構造を印刷する方法として、グラビアオフセット印刷法を用いることが開示されている。
【０００４】
また特許文献２では、グラビアオフセット印刷装置において、グラビア版胴からブランケット胴へインキを受け渡す速度を相対的に遅くすることによりブランケット胴がグラビア版胴から受け取るインキ量を増やし、インキがそのままの形状を保ったまま被印刷物へ転写されることで高精細な印刷を行うことを可能にしている。
【先行技術文献】
【特許文献】
【０００５】
【特許文献１】特開２０１１−２１０１４８号公報
【特許文献２】特開２０１１−２４０５７０号公報
【発明の概要】
【発明が解決しようとする課題】
【０００６】
従来、印刷物は、印刷インキにより色や画像、配線その他効果を発現させている。従来の潜像や視差画像も基材付着後のインキ形状自体には変化が無く、印刷時のインキ厚みや印刷後の視認角度の変化によりその効果を得ている。
【０００７】
そのため、印刷インキには基材付着後に所望の効果を発現させるべく、色は勿論のこと導電性材料や絶縁性材料、蓄光や発光、放熱材料が用いられるほか、視認角度により色が変化する偏光材料や、物理現象により色が変化するクロミック材料等多種多様の材料が用いられている。
【０００８】
しかし、前述の通りこれら基材付着硬化後のインキ形状自体には変化が無いことが慣用であった。すなわち、同形状の物を多量に生産するという印刷の特性上、基材付着硬化後にそれらインキが変形した場合には所望の効果が得られなくなることが多く、基材付着硬化後に外的要因により変形を伴うインキは需要が無かった。
【０００９】
本発明は、上記の従来の問題点を逆に利点として着目したものであり、従来とは異なり基材付着硬化後に外的要因により変形を伴うインキによって高精細かつ微細な絵柄などの連続した色模様の印刷物を得ることを目的とし、外的要因により潜像が浮かび上がる画像を薄膜基材に作成することが可能となる印刷物を提供することを課題とする。
【課題を解決するための手段】
【００１０】
上記課題を解決するため、本発明の印刷物は、
印刷基材の一方の面または両面の少なくとも一部の領域において、所定の線幅を有する配線パターンが形成された印刷部を有する印刷物であって、前記印刷部が、吸湿により膨潤する粒子、または乾燥により収縮する粒子の少なくともいずれか一方を含有するインキと、前記粒子を含有しないインキとを備え、前記配線パターンは線幅１００μｍ以下の複数の線の組み合わせで構成され、前記複数の線の間隙の幅が、前記間隙を介して隣り合う２本の線のうち細い方の線幅の５０倍以下であることを特徴とする。
【００１１】
また、本発明の印刷物は、前記配線パターンの前記複数の線が、直線または曲線からなり、縞状、同心円状、格子状、放射状のいずれかの形状に配置されているものでもよい。
【００１２】
また、本発明の印刷物は、前記印刷部に印刷された前記配線パターンが、全体として連続した色模様として観察者に視認されるものであってもよい。
【００１３】
本発明の印刷物は、前記複数の線の線幅の増減の調整によって、前記印刷部の色の濃淡表現が制御可能なものでもよい。
【００１４】
本発明の印刷物は、前記複数の線の少なくとも一部の線が、前記印刷基材の表面に対し１．５μｍ以上の高さの凸構造の断面形状を有する線であってもよい。
【００１５】
本発明の印刷物は、前記凸構造の断面形状を有する複数の線を有し、当該複数の線のうちの一部の線の高さが、その他の線の高さの１．５倍以上の高さを有するものでもよい。
【００１６】
本発明の印刷物は、前記凸構造の断面形状を有する複数の線を有し、当該複数の線のうち少なくとも一部の線は、前記インキを複数積層した多層構造となっているものでもよい。
【００１７】
本発明の印刷物は、前記複数の線の上に一方向に延在する凸構造の断面形状を有する線を有し、その断面が多角形もしくは曲面形状を任意に組み合わせた形状であってもよい。
【発明の効果】
【００１８】
本発明のいずれか一の態様によれば、複数の凹版を用いてアライメントを合わせて印刷を行い、微細な線を組み合わせることで、色が連続して視認可能な絵柄模様などの印刷表現を形成できる。また、外的要因によりインキの膨潤や収縮が生じることによって潜像が浮かび上がる画像を視認角度に拠らず薄膜基材上に作成することが可能となる。
【図面の簡単な説明】
【００１９】
【図１】本発明に基づく実施形態に係る印刷物を説明する概念図である。
【図２】印刷部を説明する概念図である。
【図３】印刷部の膨潤前後を説明する断面図である。
【図４】印刷部の膨潤前後を説明する断面図である。
【図５】印刷部の膨潤前後を説明する断面図である。
【図６】配線パターンの一例を説明する模式図である。
【図７】配線パターンの一例を説明する模式図である。
【図８】配線パターンの一例を説明する模式図である。
【図９】配線パターンの膨潤前後を説明する模式図である。
【図１０】配線パターンの一例を説明する模式図である。
【図１１】配線パターンの一例を説明する模式図である。
【図１２】配線パターンの一例を説明する模式図である。
【図１３】配線パターンの膨潤前後を説明する模式図である。
【図１４】グラビアオフセット印刷用の印刷機の概念図である。
【図１５】印刷版母材の例を説明する概念図である。
【発明を実施するための形態】
【００２０】
以下、本発明の印刷物の一実施形態について図面を適宜参照して説明する。
ここで、図面は模式的なものであり、厚みと平面寸法との関係、各層の厚みの比率等は現実のものとは異なる。また、以下に示す実施形態は、本発明の技術的思想を具体化するための構成を例示するものであって、本発明の技術的思想は、構成部品の材質、形状、構造等が下記のものに特定されるものではない。本発明の技術的思想は、特許請求の範囲に記載された請求項が規定する技術的範囲内において、種々の変更を加えることができる。
【００２１】
（印刷物）
図１に示すように、本実施形態の印刷物１は、印刷基材２の表面の一部に、印刷部３を有する。図１ではＢ面側に印刷部３が形成されているが、裏側のＡ面側にも印刷が施されていてよい。印刷部３は、インキにより形成され且つ連続した色模様として視認される絵柄などの印刷表示からなる。印刷部３を構成する印刷表示は、必ずしも明確な柄などの模様が視認可能なように構成されている必要はない。また本発明に係る印刷部３は、印刷基材２上に２つ以上配置されていてもよい。
【００２２】
本実施形態の印刷物１は、印刷基材２と印刷部３とを合わせた総厚さが、例えば５．０μｍ以上３００．０μｍの厚さとする。なお、印刷基材２上には、本発明に係る印刷部３以外の印刷部分を有していてもよい。また、本発明に係る印刷部３以外の印刷部分の一部として、本発明に係る印刷部３が配置されていてもよい。本発明に係る印刷部３以外の印刷部分は、例えば従来のように基材付着硬化後に形状変化を生じないインキにて絵柄その他の印刷表示がなされる。
【００２３】
本実施形態では、絵柄その他の印刷表示からなる印刷部３は、例えば図２に示すように、複数本の線４を組み合わせて構成される。ここで図２の左図は図１で示されるＡ面側に形成された印刷部３の実施形態例であり、図２の右図はＢ面側に形成された印刷部３の実施形態例を示す。
本発明に係る印刷部３を形成する線４は、単独の線としては目視では視認不可能な線幅を有し、図４の断面図の膨潤前に示すように、線幅Ｅが１００μｍ以下の微細な線からなる。そしてこのような微細な線が多数並列して配置されていることにより、目視では印刷部３全体の外形が絵柄として視認できるようになっている。
【００２４】
このとき、図４に断面形状を示すインクには、吸湿により膨潤し、乾燥により収縮する粒子を含有するもしくは含有しないシアン・マゼンタ・イエロー・ブラックの４色等のインクから選択される、少なくとも１色以上の有色の線４の組合せで印刷部３を構成することで、微細カラー印刷を表現できる。
【００２５】
図３は、図１の印刷物１において、Ａ面に吸湿により膨潤し、乾燥により収縮する粒子を含有するインキを用いて印刷し、Ｂ面にはこれら粒子を含有しないインキを用いて、表裏面に印刷を行った印刷部３を示している。またＡ面、Ｂ面のどちらの印刷部も、線幅が同等の微細線で形成されている。
【００２６】
図３で印刷部３をＢ面側から視認した場合、膨潤前には図３（ａ）のようにＡ面はＢ面の線に隠れ視認することが難しいが、Ａ面側のインキが膨潤することによりＡ面の印刷部の線幅が増加し、図３（ｂ）のように変化することにより視認が可能となる。
【００２７】
印刷部３を表現する複数の線４は、その隣り合う線相互の線間の間隙が、その間隙を構成する２本の線のうちの線幅が狭い線側の線幅の５０倍以下になるように設定している。
間隙を線幅の５０倍以下に設定することで、連続した色模様に視認可能となる。間隙の寸法が線幅の５０倍を越えると、線間の非印刷部分が視認されるおそれがある。なお、線４同士が格子状に交差していてもよく、交差位置では当然に、間隔は「０」である。
【００２８】
印刷部３を表現する複数の線４は、凹版を用いて形成される。同一平面上に１つの凹版を用いて特定の配線パターンで配置してもよく、また夫々異なる複数の凹版のアライメントを合わせて印刷を行うことにより、特定の配線パターンで配置してもよい。
なお、異なる凹版を用いて印刷を行う場合には、線間隔はあってもなくてもよいが、好ましくは、混色を避けるために２μｍ以上は間隙を置くことが望ましい。
【００２９】
印刷部３を表現する複数の線４は、同一平面上に異なる凹版のアライメントを合わせて印刷を行うことにより、積層して配置してもよい。この際、同一の凹版を用いて積層を行なう事により、特定の部位のみ嵩高く配置してもよい。
【００３０】
また例えば黒色インキで配線パターンを形成した後に、黒色インキパターンの直ぐ隣に透明インキを印刷する用の異なる凹版を用いてアライメントを合わせ、透明インキで配線パターンを形成することもできる。すなわちこの場合、黒色インキの配線パターンの横に、透明インキの配線パターンが配置した状態となる。
そしてこのときに、黒色インキには前述の膨潤・収縮する微粒子を含まないインキを用い、透明インキには膨潤・収縮する微粒子を含むインキを用いたとすると、吸湿により透明インキの配線パターンが膨潤する一方で、隣り合う黒色インキの配線パターンは膨潤した透明インキに圧迫されて押しつぶされる形になり、結果的に黒色インキの配線パターンは線幅が細くなるという効果が生じる。
【００３１】
また、印刷部３を構成する印刷表現の色の濃淡は、複数の線４を一方向に沿って並列して印刷部３を構成する場合、単位面積当たりに配置する線４の線幅を変更することで、印刷部３の色の濃淡表現が調整される。
【００３２】
ここで、従来、網点で印刷を表現する場合、色の濃淡は、網点の大きさを変更することで濃淡を表現している。すなわち、単位面積当たりのインキの占有率（インキ面積）を変化させることで濃淡を表現している。
【００３３】
これに対し、本実施形態によれば、同じインキ面積であっても、線幅を変更することで濃淡を調整することが可能となる。例えば、１０μｍ幅の線４を１０μｍ間隔で配列する代わりに、１００μｍ幅の線４を１００μｍ間隔で配列した場合の方が、インキ面積（この例では面積率が５０％）は同じであっても、目視時における色の濃さ（色差計測定値）が濃くなる。このように、本実施形態にあっては、印刷部全体としてのインキ面積を変えることなく濃淡調整も可能となる。これによって、本実施形態では、色の濃淡調整の自由度が広がり、微細印刷であっても、より高精細な印刷表現が可能となる。
【００３４】
複数の線４で印刷部３を構成する場合、複数の線４を特定の配線パターンで配置して表現する。特定の配線パターンとは、例えば複数の線４を、所定の一方向に向けて配列させる（縞状）、同心円状に配置する、格子状に配置する、放射状に配置するなどのパターンが考えられる。ただし、配線パターンの規則は前記のパターンのみに限定されない。線幅が１００μｍ以下の線４の組合せであって、線間の間隙が、その間隙を構成する２本の線のうちの線幅が狭い線側の線幅の５０倍以下という配線条件を満足すれば、ランダムな配置など、どのような配線パターンであっても本願発明は適用可能である。
【００３５】
また、本実施形態の線４は、直線状に延在している必要はなく、蛇行など曲線状に延在していてもよい。又、印刷の際に、インキのかすれなどが発生する可能があるが、線４は
、線幅の１．５倍以上の線長が有ればよい。なお、色の付いた線４を有色線４と呼ぶこともある。
【００３６】
次に、複数色の有色の線４を組み合わせて構成される印刷部３の表現例を示す。
図６は、線幅１０μｍの円環の配線パターンを１０μｍ間隔で同心円状に配置した場合の模式図である。図６は２色を用いて形成した事例を示しており、２本のマゼンタの有色線４ｅと１本のシアンの有色線４ｆとの繰り返しを中心から外周側に向けて同心円状に配置した場合には、目視では、全体として紫色の金属光沢様な円に見える。
【００３７】
また、図７は、線幅１０μｍの線からなる配線パターンを、円形を９０°ずつ分画した区画に直交する直線４ｇ及び４ｈで配置した場合の模式図である。図７の模式図のように、同一色で直交する直線を配置した場合、直線４ｇと４ｈが同一の線幅、線間隔であっても、目視では、光の干渉効果から異なる色に見える。この例では、線４の線幅を１０μｍとし、線間の間隙を１０μｍに設定した。なお、同心円状の線間の間隙の幅は同一に設定する必要がなく、また各円形の線の円の中心が、同じ位置でなくともよい。
またこのとき、まず黒色インキで当該配線パターンを形成した後、黒色インキパターンの直ぐ隣に透明インキを印刷する用の異なるの凹版を用いてアライメントし、黒色インキの横に透明インキでパターンを形成した。このとき透明インキには前述の膨潤・収縮する微粒子を含むインキを用い、黒色インキにはそのような微粒子を含まないインキを用いた。
【００３８】
図８は、印刷時に凹版のアライメントをあわせることにより、表裏にそれぞれ図６に示す配線パターンと図７に示す配線パターンを同一中心で配置した場合の印刷部の模式図である。先に示したように、夫々単独では有色の金属光沢様や角度による異なる色に視認されるが、これらを表裏で合わせることにより、目視では角度によって見える色の異なる金属光沢様の絵柄が作成される。
【００３９】
図９は吸湿によるインキ膨潤により図８に示す印刷部が変化した場合の模式図である。これは、吸湿によるインキ形状の変化により線間隔に変化が生じることで、目視で見える色合いが変化する効果がある。すなわち、図７で作成された線が、発色を示す顔料や染料を含まず吸湿により膨潤し、乾燥により収縮する無色の粒子のみを配合した透明インキの膨潤により、発色を示す顔料や染料は含むが膨潤や収縮のない粒子を含まない通常のインキは押しつぶされ線幅が細くなることで線の色が薄くなり、図６に示す配線パターンの方が視認され易くなる。
【００４０】
図１０は、配線パターンを一方向に向けて縞状に配列した場合の模式図である。図１０は２色を用いて形成した印刷部３の例であり、シアンの線４ｉとイエローの線４ｊとを繰り返して配列することで、目視では緑色の球状の印刷部３が視認される。この例では、線幅を１０μｍとし、線４ｉ及び線４ｊの線間の間隙Ｆを２０μｍに設定した。各線は互いに平行でなくてもよい。
【００４１】
また、図１１は、配線パターンを一方向に向けて縞状に配列した場合の模式図である。図１１の模式図のように、黒色インキを用いて黒色の線４ｋを一定間隔で配列することで球状の印刷部３が表現される。この例では、線４ｋは線幅を１０μｍとし、線間の間隙Ｆを１０μｍとして設定した。
さらに、インキパターンが隣り合うように異なる凹版を用いてアライメントし、黒色インキの横に透明インキのパターンを形成した。透明インキには前述の膨潤・収縮する微粒子を含むインキを用い、黒色インキにはそのような微粒子を含まないインキを用いた。
【００４２】
図１２は、印刷時に凹版のアライメントを合わせることにより、表裏面にそれぞれ図１
０に示す配線パターンと図１１に示す配線パターンとを重ねて配置した場合の模式図である。先の図８に示したように、各々単独では緑や黒といった異なる色に視認されるのみだが、これらを表裏で合わせることにより、視認角度により色が異なる絵柄が作成される。
【００４３】
図１３は吸湿によるインキ膨潤により図１２に示す印刷部が変化した場合の模式図である。吸湿によるインキの形状の変化により線間隔に変化が生じることで、図１０に示す配線パターンが視認可能となる。すなわち、図１０と図１１の配線パターンを表裏面に重ねて配置した場合、吸湿前は図１０に示す配線パターンは図１１に示す配線パターンの影となり正面からは視認が難しいが、吸湿により図１１の線が発色を示す顔料や染料を含まず吸湿により膨潤し、乾燥により収縮する無色の粒子のみを配合した透明インキの膨潤により、発色を示す顔料や染料は含むが膨潤や収縮のない粒子を含まない黒色インキは押しつぶされ線幅が細くなることで、吸湿以前では視認角度にのみ絵柄が認識できたが、インキ膨潤によりそれら図１０の絵柄が視認角度に拠らず視認可能となる。
【００４４】
ここで、図６〜図１３に示す例の場合には、単純にするために、印刷部３の外形の輪郭が円の場合を例示しているが、本発明では円に限定されない。印刷部３の外形の輪郭は、矩形などの多角形状やその他の形状であってもよい。例えば、同心円状の配列パターンの場合には、その多角形状の輪郭の中で線４を同心円状に配線すればよい。また各線間の間隙は等間隔である必要もない。
【００４５】
印刷部３で表示（視認）される色は、有色線４の組合せで設定できる。例えば、赤は、マゼンタの線：イエローの線＝２：１の面積比となるように、３原色の比率によって再現される。同様にして、橙は、マゼンタの線：イエローの線＝１：２の面積比となるように、３原色の比率によって再現される。
【００４６】
また、緑は、シアンの線：イエローの線４ｃ＝１：１の面積比となるように、３原色の比率によって再現される。また、藍は、シアンの線：マゼンタの線＝２：１の面積比となるように、３原色の比率によって再現される。また、紫は、シアンの線：マゼンタの線＝１：２の面積比となるように、３原色の比率によって再現される。このように、表現する色に応じて、複数の有色線４の比率や配列を設計する。このとき、隣り合う線４の配置を、規則数列的に配置することで、視認する角度により色が変化するようになる。
【００４７】
印刷部３を形成する印刷は凹版印刷によって実施して、各線４を構成するインキが、印刷基材２から盛り上がっている凸構造の断面形状となるように構成されていることが好ましい。
この場合、特定の配線パターンで規則性を持って配置された複数の有色線４の組合せで印刷部３が形成され、且つ各線４が盛り上がって、複数の線４によって凹凸構造になっていることから光干渉を作り、印刷物１（基材）の表面に対する、視認する角度を変えることで色が変化して見える。若しくは表裏の印刷をすることによる視差から視認する角度を変えることで色が変化して見える。特にこのような効果は２以上の色の線４を組み合わせた場合に効果的である。
【００４８】
盛り上がっている線４の基材に対する高さは、１．５μｍ以上、好ましくは２μｍ以上である。線４が凸構造の断面形状となっていることで微妙な立体感を有し、規則配置することにより光干渉を生み、その結果、視認する角度による色の変化がより顕著となる。
【００４９】
なお、図３に示すように、凸構造に構成するインキ１層の高さは、５μｍ以下が好ましい。現状のグラビアオフセット印刷では、１層の安定したインキ膜厚の上限が５μｍ程度であるためである。もし安定した凸構造が形成可能であれば、５μｍよりも高くても構わない。また、インキを２層塗って、多層積層とすることで、線４の高さを５μｍよりも高
い線として構成するようにしてもよい。
【００５０】
また、一つの印刷部３を構成する複数の線４の高さにバラツキがあっても良い。バラツキがあることで、視認する角度による色の変化がより細かくなって精緻化する。この場合、一番低い線４と一番高い線４とで、高さに１．５倍以上の変化があることが好ましい。
【００５１】
また、凸構造に構成するインキ１層の高さにバラツキを持たせる場合に、一部の線４について、異なる色を２層以上積層して高くすることが好ましい。多層構造とする場合には、１層の高さに対し、２層の高さを１．５倍以上に設定することが好ましい。この場合にも、視認する角度による色の変化がより細かくなって精緻化する。この場合の断面形状として、例えば半円形、三角形、矩形、台形などが例示できる。
【００５２】
ここで、上述した複数の線４で構成される印刷部３での乾燥時の凹凸形状の十点平均粗さＲｚは２０μｍ以下であり、乾燥時の線４算術平均粗さＲａが１．０μｍ以上７．０μｍ以下の凹凸構造を有するように構成されることが好ましい。印刷基材２の表面に対し、複数の線４を構成するインキによる凹凸形状の粗さをこの範囲にすることで、吸湿により膨潤し、乾燥により収縮することで潜像を視認するだけでなく、視認角度による見た目の色の変化を生じさせる効果をも確実に確保することが可能となる。
【００５３】
なお、本発明において、印刷部３を構成する複数の線４の全部もしくは一部が凸構造である必要はないものの、凸構造とすることで、見る角度による色の変化を顕著にもたらすことができる。凸構造としない場合には、前述の凹版の代わりに凸版印刷で線４を印刷してもよい。
【００５４】
このように、本実施形態によれば、線４を組み合わせて色が連続して視認可能な絵柄模様などの印刷表現を形成可能となることで、高精細な印刷物１を得ることが可能となる。なお、印刷基材２は、シート状に限定されず、玩具などの立体物であっても良く、その立体物が有する表面に印刷部３が形成されていてもよい。
【００５５】
以上のように、本実施形態の印刷物１に設けた印刷部３の表示は、予め設定した特定の配線パターンで配することにより、乾燥時には視認が不可能な潜像が、インキに内包される粒子が膨張することにより線幅が変化し、絵柄が可逆的に変化する湿度応答性のカラー印刷物を作成することに好適であり、広告用の印刷物、玩具・容器包装などに優れた意匠性を付与することが可能となる。
【００５６】
上述したような線４からなるインキの微小な盛り上がり（凸構造）を有する印刷部３は、例えば、グラビアオフセット印刷法による凹版印刷で印刷することで形成することが可能である。以下、その一例を説明する。
【００５７】
（印刷装置）
グラビアオフセット印刷用の印刷装置８は、図１４に概念図を示すように、凹版からなる印刷版１０と転写用のブランケット９とを備えている。印刷版１０は、母材表面の転写面に、印刷する印刷部に応じた凹部が形成され、その凹部にインキ１３が充填されると共に、ドクターブレード２１によって余分なインキが掻き取られる。印刷版１０は、印刷版固定用定盤１４の上面に固定される。
【００５８】
ブランケット９は、回転可能なブランケット胴１１の表面に固定されている。ブランケット胴１１は、回転可能に台車（不図示）に支持されており、台車は、架台上を移動可能に架台に支持されている。そして、ブランケット９は、印刷版１０上を転動することで印刷版１０の印刷面の凹部から、その表面（印刷面）にインキ１３が転写され、さらに、転写されたインキ１３を、基材固定用定盤１５に固定された印刷基材１２の表面（印刷面）に転写する。
【００５９】
ブランケット９は、上述のように、インキの授受を行うことにより転写印刷を行う。ブランケット９の表面、すなわち印刷面は、ゴム層からなる。このゴム層として用いられるゴム材料としては、ブランケットとして公知の各種の材料を用いることができる。これらのゴム材料は、インキ及びインキに用いられる溶剤の種類に対応して選択され、シリコンゴムなどの溶剤吸収性のあるものが好適である。ゴム層単独でブランケット９とすることも可能であるが、ゴム層はベース基材の上に設けてもよい。
【００６０】
なお、ゴム材料からなるゴム層は、ベース基材上でゴム材料を硬化させることも、フィルム上のゴム材料をベース基材と貼り合わせることで設けることも可能である。ベース基材としては、印刷時にブランケット胴１１に取り付けられることから、例えば可撓性のあるフィルムや金属薄板で構成される。
【００６１】
ただし、ベース基材としては、コスト及び寸法安定性から、ポリエチレンテレフタレート（ＰＥＴ）などのポリエステル系フィルム、あるいはポリイミドフィルムが好適である。
また、ベース基材とゴム層の間には、必要に応じてプライマー層や接着層が設けられる。また、ベース基材の下には必要に応じてクッション層が設けられる。クッション層としてはスポンジ状の材料を用いることができる。ブランケット９は、その幅方向の両端部を不図示の取付器具によって巻き締めることによって、略円筒形のブランケット胴１１に固定される。
【００６２】
印刷版１０は、詳細は後述するが、印刷部３を構成する配線パターンに対応する複数の溝（凹部）を銅版、ニッケル版などの金属版、あるいはガラス版に形成し、その表面にクロムめっきやカーボンめっきによる耐擦性皮膜を形成してなる。また、耐摩擦性皮膜を形成した上表皮に対して、ダイヤモンドライクカーボン、フッ素系やシリコン系の撥油剤を塗工、もしくは蒸着やスパッタ等の方法を用いて表面平滑性を向上させる加工を施してもよい。
【００６３】
ここで、印刷部３は複数の線４から構成されるため、印刷部３を印刷するための印刷版１０の凹部は、本実施形態では、線状に延在する複数の溝で構成される。そして、上述の溝からなる凹部に対し、インキ１３が充填されると共に、ドクターブレード２１によって不要なインキが掻き取られる。凹部に充填されるインキ１３は、印刷分野で知られている光の３原色（赤、緑、青）や減法混色の３原色（黄、紅、藍）の他墨（黒）のインキもしくは、これらインキに吸湿により膨潤し、乾燥により収縮する粒子を添加したものを用いることができる。
本実施形態では、印刷版毎に、いずれかの発色に相当するインキを凹部に充填する。
【００６４】
次に、本発明の印刷物に用いる材料について詳細に説明する。
【００６５】
＜粒子＞
吸湿により膨潤し、乾燥により収縮する粒子の材料としては、例えば天然油由来のマンノースやグルコース、ガラクトース、アガロース、アガロペクチン、ガラクタン、マンナン、デンプン、ヒドロキシエチルセルロース、カルボキシメチルセルロース、キトサン、フルクタンタン、コラーゲン、ポリリジン、ポリグルタミン酸、コラーゲン、ヒアルロン酸等の単糖類や多糖類、アミノ酸やタンパク質がある。
さらに、化学合成により作成されるポリエチレングリコール、ポリエチレンイミン、ポリエチレンアミン、ポリアクリル酸、ポリアクリルアミド、ポリビニルアルコール、ポリビ
ニルピロリドン、ポリビニルメチルエーテル、ポリヒドロキシエチレンメタクリレートや部分塩が含まれる重合体があり、これらのいずれかの材料より作成された粒子を１種類使用してもよいし、複数種類を混ぜて使用してもよい。
【００６６】
＜インキ＞
インキの発色顔料としては、プロセス印刷で利用されているジスアゾイエロー、ブリリアントカーミン、フタロシアニンブルー等が有名であるが、これに限定されず、印刷分野で知られている有機顔料・無機顔料を適宜用いることができる。
【００６７】
無機顔料としては、金属粒子の他、二酸化チタン、亜鉛華（酸化亜鉛）、鉄黒（黒色酸化鉄）に代表される酸化物の他、水酸化物、硫化物、セレン化物、フェロシアン化物、クロム酸塩、硫酸塩、炭酸塩、ケイ酸塩、燐酸塩、炭素等がある。
有機顔料としては、炭素化合物の他、ニトロソ系、ニトロ系、アゾ系、レーキ系、フタロシアニン系、縮合多環材料の他、蓄光や残光顔料、紫外や赤外等のある特定の波長の光に反応して発光する金属酸化物や量子ドット等がある。これら顔料を１種類用いてもよいし、複数を混合して利用してもよい。
【００６８】
また、これらの色を目的とした顔料に対し、導電性を目的として金属微粒子や導電性金属酸化物微粒子あるいは金属ナノワイヤや金属塩化物、導電性ポリアニリン、導電性ポリプロピロール、導電性ポリチオフェン（ポリエチレンジオキシチオフェンとポリスチレンスルホン酸の錯体）などの導電性ポリマー等を混合して導電性インキとして利用してもよい。
【００６９】
＜溶剤＞
インキ中の溶剤としては、任意のものを用いることができる。例えばドデカン、テトラデカンを使用する。また、速乾性インキでは、常温で乾燥する沸点の低い溶剤（ＭＥＫ、エタノール、アセトンなど）を、水性インキでは水（精製水）を、オイル系インキでは常温で蒸発しないオイル（脂肪族炭化水素、グリコールエーテル、高級アルコールなど）を用いることが可能である。なお、溶剤の種類に応じて、その溶剤に対し吸収性を有するブランケット９の材料を適宜選択することが好ましい。
【００７０】
＜樹脂＞
顔料および吸湿により膨潤し、乾燥により収縮する粒子以外のインキ材料として用いる樹脂材料は、透明樹脂や、色付きの樹脂、あるいは、不透明な樹脂を用いても良い。すなわち、例えば、ポリカーボネート樹脂、アクリル系樹脂、フッ素系アクリル樹脂、シリコン系アクリル樹脂、エポキシアクリレート樹脂、ポリスチレン樹脂、アクリロニトリルスチレン樹脂、シクロオレフィンポリマー、メチルスチレン樹脂、フルオレン樹脂、ＰＥＴ（ポリエチレンテレフタレート）、ポリプロピレン、フェノール樹脂、メラミン樹脂、ＰＥＮ（ポリエチレンナフタレート）、ＰＩ（ポリイミド）等の熱可塑性樹脂や熱硬化性樹脂等の汎用プラスチックを用いることが可能である。
【００７１】
ここで、熱可塑性樹脂としては、ＰＥＴ（ポリエチレンテレフタレート）、ＰＣ（ポリカーボネート）、ＰＳ（ポリスチレン）、ＣＯＣ（環状オレフィン・コポリマー）、ＰＭＭＡ（ポリメタクリル酸メチル（ポリメチルメタクリレート、アクリル樹脂））、ＣＯＰ（シクロオレフィンポリマー）、ＭＳ（メタクリル酸スチレン共重合体）、ＡＳ（アクリロニトリルスチレン共重合体）、ＰＭＭＡ（ポリメタクリル酸メチル（ポリメチルメタクリレート、アクリル樹脂））、ＰＥＮ（ポリエチレンナフタレート）、ＰＩ（ポリイミド）等などの熱可塑性樹脂を用いることが可能である。
【００７２】
また、熱硬化性樹脂としては、フェノール樹脂やメラミン樹脂、エポキシ樹脂、アルキ
ド等の当該分野でよく知られている熱硬化性樹脂を用いることが可能である。また、前記以外にも、インキ材料として用いる樹脂材料として、ＰＢＴ（ポリブチレンテレフタレート）、ＰＯＭ（ポリオキシメチル）、ＰＡ（ポリアミド）、ＰＰＳ（ポリフェニルサルフィド）等のエンジニアプラスチックや、スーパーエンジニアプラスチックを用いることも可能である。この他にも電離放射線によって硬化するアクリルやウレタン、エポシキ、ポリエステル、チオール等の樹脂を用いることが可能である。
【００７３】
＜光散乱粒子＞
また、インキには、吸湿により膨潤し、乾燥により収縮する粒子の他、光散乱粒子が混入されていてもよい。すなわち、光散乱粒子は、印刷物１を構成する、異なる色相のインキいずれかに入っていても、積層した複数の層のうちいずれかに含んでいてもよい。インキに混入させる光散乱粒子としては、真球形状粒子、または、不定型形状粒子が用いられる。また、光散乱粒子の材料としては、無機微粒子、または、有機微粒子からなる粒子を用いる。
【００７４】
具体例としては、アクリル系粒子、スチレン粒子、スチレンアクリル粒子及びその架橋体や、メラミン‐ホルマリン縮合物の粒子、ポリウレタン系粒子、ポリエステル系粒子、シリコン系粒子、フッ素系粒子、エポキシ粒子これらの共重合体、スメクタイト、カオリナイト、タルク等の粘土化合物粒子、シリカ、酸化チタン、アルミナ、シリカアルミナ、ジルコニア、酸化亜鉛、酸化バリウム、酸化ストロンチウム等の無機酸化物粒子、炭酸カルシウム、炭酸バリウム、炭酸マグネシウム、塩化バリウム、硫酸バリウム、硝酸バリウム、水酸化バリウム、水酸化アルミニウム、炭酸ストロンチウム、塩化ストロンチウム、硫酸ストロンチウム、硝酸ストロンチウム、水酸化ストロンチウム、ガラス粒子等の無機微粒子を挙げることができる。
【００７５】
これらの高い屈折率を有する透明な粒子は、一種類の粒子だけを混合して使用してもよいし、複数種類を混ぜて使用してもよい。また、無機微粒子や有機粒子の表面に塗工や蒸着等によって表面加工を施したものを、一種類で使用してもよいし、複数種類を混ぜて使用してもよい。すなわち、混入する光散乱粒子には、異なる屈折率を有する少なくとも二つの光散乱粒子を含んでもよい。
【００７６】
なお、混入する光散乱粒子には、異なる屈折率を有する光散乱粒子の代わりに、異なるヘイズ値を有する２つ以上の光散乱粒子を含んでもよい。なお、光散乱粒子を混入する代わりに、線４を構成した状態のインキが空気を含む微細な空洞を含有するようにしてもよい。例えば、印刷するインキの材料中に発泡剤を含有させておき、その発泡剤を発泡させて、空洞を形成することができる。
【００７７】
＜印刷基材＞
本実施形態における印刷基材２は、その上面に印刷によって印刷部３を含む印刷層が形成される。印刷層は、基材上面の全面である必要はない。又、本発明に係る印刷図柄以外の印刷が形成されてもよい。印刷基材２は、シート状の材料に限られず、中空又は中実のいずれでもよく、また、任意の平面又は曲面を、印刷部３を形成する印刷面とすることができる。
【００７８】
印刷基材２は、例えば、ソーダ石灰ガラス、低アルカリ硼珪酸ガラス、無アルカリアルミノ硼珪酸ガラスなどのガラス板、あるいはポリエチレンテレフタレート（ＰＥＴ）、トリアセチルセルロース（ＴＡＣ）、ポリメチルメタクリレート（ＰＭＭＡ）、ポリカーボネート（ＰＣ）などからなるプラスチック板、プラスチックフィルムの他、クリーンペーパーやコート紙、カレンダー紙等の当該分野で知られている加工紙、ポリアクリル酸ナトリウムやポリビニルアルコール、ポリエチレンオキシド等の当該分野で知られている水溶
性ポリマー、ポリ乳酸、ポリグリコール酸、ポリカプロラクトン等の当該分野で知られている生体適応性ポリマーが用いられる。
【００７９】
（印刷方法）
次に、印刷方法について説明する。
ここで、印刷部３が、例えば、図３等に示したように、４色の有色線４で構成される場合には、印刷する色毎に個別に４種類の印刷版を用意して、順番に４つの印刷版を使用した凹版印刷を行う。なお、印刷版１０は、印刷する色毎に用意するほか、多層塗りを行う場合にも、その積層分の印刷版を用意して、順番に凹版印刷を行う。各印刷版１０毎に凹部を形成する溝の深さや幅を変更してもよい。又、一つの印刷版に形成する複数の溝の一部の溝の幅や深さを他の溝の幅や深さと異なるように設計してもよい。
【００８０】
以下の説明では、一つの印刷版による一回分の凹版印刷について説明する。
印刷版１０を、例えばインキ溜め（不図示）においてインキに浸漬し、続けてドクターブレード２１により、印刷版１０の凹部にインキを導くとともに、印刷版１０の表面から溢れ出た余分なインキを取り去ることで、印刷版１０の凹部にインキを充填する。この際、ドクターブレード２１の剪断応力によるインキの粘度変化に応じて、ドクターブレードの速度は５〜３００ｍｍ／ｓｅｃの範囲内で任意に設定することが望ましい。
【００８１】
次に、図１４中、右端から左側方向に向けての台車（不図示）の移動およびブランケット胴１１の軸回転によって、ブランケット９の印刷面が、印刷版１０に充填されたインキ１３に連続的に接触する。これによって、ブランケット９の印刷面にインキ１３が転写される。ブランケット９への転写速度は、例えば１０ｍｍ／ｓで行うことができる。このとき、ブランケット９の印刷面がインキ１３内の溶剤を吸収可能な吸収性を有する材料から構成することで、ブランケット９の印刷面に形成されたインキ１３の濡れ広がりが抑制される。その後、台車の移動により、インキ１３が転写されたブランケット９は、印刷基材１２の設置位置まで移動される。
【００８２】
続けて、図１４に示すように、台車の移動およびブランケット胴１１の軸回転により、ブランケット９上に転写されたインキは、左方の印刷基材１２の印刷面に転写される。すなわち、回転するブランケットが印刷基材１２に押し付けられてインキの転写が行われる。
ブランケット９の印刷面の回転速度は、台車の移動速度と同期をとった速度に設定されている。なお、印刷基材１２への転写速度は、例えば１００ｍｍ／ｓで行うことができる。転写されずにブランケット９の印刷面に残ったインキ１３の部分は、例えば、不図示のクリーニングローラーで除去される。
【００８３】
なお、本実施形態では、転写の際に台車を移動させる場合を例示しているが、ブランケット胴１１と印刷版固定用定盤１４との相対位置、ブランケット胴１１と基材固定用定盤１５との相対位置の変化を実現できる限り、印刷版固定用定盤１４、基材固定用定盤１５を移動させてもよく、台車、印刷版固定用定盤１４、および基材固定用定盤１５の３つをそれぞれ移動させてもよい。
【００８４】
その後、印刷基材１２上に転写されたインキ１３は硬化される。この硬化は、例えば、焼成、加熱、自然乾燥、電離放射線硬化、冷却（熱可塑性材料を含む導電性インキを用いる場合）など、使用するインキの種類及び成分に応じた各種の手段によって実行することができる。加熱による場合には、例えば、赤外線ヒータを用いることができる。
【００８５】
これらの何れか１つまたは１つ以上の手段を組み合わせて用いて硬化させることにより印刷物１が得られる。なお、ブランケット９の膨潤量が所定の基準値に達すると、印刷待
機時にブランケット９に吸収された溶剤を乾燥させる機能を、印刷装置に備えてもよい。ブランケット９の印刷面の材質、使用するインキの種類及びインキ内の溶剤の種類は、上述した例以外の各種のものを選択することができる。
ブランケット９は、円筒形のブランケット胴１１に固定して使用したが、インキ転写時のブランケットの印刷面形状は、円筒形以外の曲面や平面であってもよい。印刷基材１２はシート状のほか樹脂成形品などのように、印刷面が曲面であるものであってもよい。
【００８６】
複数の凹版印刷を使用する場合には、凹版のアライメントを合わせる上記印刷処理を繰り返せば良い。アライメントマークの形状は、円や十字、放射線形状でもよく、カメラによる画像認識時に上下左右の合わせ位置が明確に示されているものを利用することができる。アライメントマークは、印刷物の領域外に設置されており、少なくとも印刷物に対して対角の２点以上存在することが望ましい。アライメント精度は、±１０μｍ以下であることが望ましいが、更に望ましくは±５μｍ以下であることが望ましい。
【００８７】
アライメント精度が上記の範囲を逸脱した場合には、線が重なってしまい、設定した色とは異なる色を示すことや、インキ膨潤時のみ視認可能な潜像が常時視認可能になってしまうなどの問題を生じる可能性がある。このように、アライメントを合わせて印刷することで、複数の凹版を用いて予め設定した特定の配線パターンを印刷することが可能となる。
【００８８】
本実施形態における印刷版１０は、図１５に示す印刷版母材１６の表面を切削加工することにより形成される。本実施形態の印刷版の凹部は、目的の印刷部３の印刷領域形状及び印刷の配線パターンに応じた複数の線状の溝により形成される。
従来は、網点に応じたドットに対応した凹部形状の集合によって形成されているが、本実施形態では、印刷部３を構成する線４に応じた線状の溝によって、印刷部３の凹部が形成される。
【００８９】
図１５において、印刷版母材１６は、例えば、Ａｌ、Ｎｉ、Ｆｅからなる円筒体１７の表面に、内径側から外径側に向けて順に、銅めっき層１８、剥離層１９及び銅バラード層２０を同心状に積層して形成されている。
溝形成に際しては、印刷版母材１６を円の中心を軸として回転させ、外表面を形成する銅バラード層２０に向けて径方向に切削刃を作用させて切削を実施することで、線状の溝からなる複数の凹部が形成される。
【００９０】
切削の深さは適宜設定してよいが、例えば２０μｍとすることができる。溝からなる凹部は、印刷版母材１６の周方向に延在していてもよく、また、螺旋方向に延在していてもよい。切削による凹部形成（切り込み移動）と、印刷版母材１６と切削刃との回転軸に沿った相対移動（送り移動）とを交互に行うことで、溝からなる凹部を周方向に延在させることができる。
また、切り込み移動と送り移動とを同時かつ連続的に行うことで、凹部を螺旋方向に延在させることができる。軸に向かう切削刃の切り込み深さを無段階又は複数段階で変化させることで、凹部の幅を変化させることも可能である。印刷する線４が蛇行して延在する場合には、溝も蛇行するように形成する。
【００９１】
凹部の幅や深さは、目的の配線パターン及びインキで形成する各線４の盛り上がり量（高さ）に応じた値に設定する。これによって、この印刷版を用いて印刷基材２上にインキを転写した際に、印刷基材２上に転写される線状のインキ線幅や高さが、目的とする配線パターン及びインキで形成する各線４の盛り上がり量（高さ）となった印刷物１を得ることが可能となる。これによって、単位体積当りのインキ面積が変化したり、同一インキ面積であっても各線４の幅が異なったりすることで、印刷物１の色の濃淡を表現することが可能となる。
【００９２】
本実施形態では、凹部の形成は切削刃を用いて行われる。切削刃は、単一のノーズ部と、これを挟む２つの斜行部を有し、斜行部は、切削刃の切り込み方向と非平行かつ非垂直に延在する。切削刃は、ノーズ部に隣接する少なくとも１つの斜行部を有するのが好適である。本実施形態における印刷版１０の製造に用いられる切削刃は、単一のノーズ部と、これを挟む２つの斜行部とを有する。２つの斜行部の延在方向は、切削刃の切り込み方向に対して互いに異なっており、一方の斜行部が切り込み方向に対してなす角度は任意に選択することが可能である。
【００９３】
このような切削工程の後、耐磨耗性を高めるために、銅バラード層２０の表面の全体に、クロムめっき層（不図示）が形成される。また、クロムめっき層の上に蒸着によりＤＬＣ（ダイヤモンドライクカーボン）を形成（不図示）することにより、表面の平滑性を向上させる。そして、剥離層１９から銅バラード層２０を剥離することにより、図２０に示されるような凹部を有する平板の印刷版１０が得られる。
【００９４】
本実施形態における印刷版の凹部の形状は、深さ方向に対して線対称であっても非対称であってもよく、少なくとも１つ以上の形状を組み合わせた形でもよい。
【００９５】
本実施形態では、切削刃を用いて印刷版を製作したが、例えばダイシングソーやレーザー、マシニングセンタによる切削にて製作してもよい。また、多段エッチング法や多段めっき法により印刷版を製作してもよい。また、本実施形態では、金属部材を版材として用いたが、石英や、石英や金属から樹脂転写したものを印刷版として用いてもよい。
【００９６】
本実施形態に係る印刷版１０を含む印刷装置によって基材上に転写されたインキの厚みは、１層当り５μｍ以下であり、インキ単層で印刷物１としてもよい。また、印刷基材２上に転写されたインキ上に再度同じ加工を施し、同一若しくは異なるインキを積層してもよい。また、アライメント機能を用いて基材上に転写されたインキと任意の間隔で同一若しくは異なるインキを単層若しくは多層で転写してもよい。
【００９７】
本実施形態における印刷版１０を含む印刷装置８によって基材上に転写されたインキを、硬化若しくは焼成することによって、印刷基材１２上に印刷部３が形成された印刷物１が得られる。なお、図４は、印刷基材２の印刷面に垂直な断面におけるインキの断面形状を示し、図５は図４のＡ面、Ｂ面それぞれの面側から見た状態を示す。図４のとおり、転写及び乾燥後のインキ層３の断面形状は、印刷版凹部の断面形状に対応して対称若しくは非対称になる。
【００９８】
なお、本発明は、実施形態に示された態様のみに限らず、特許請求の範囲によって規定される本発明の思想に包含されるあらゆる変形例や応用例、均等物が本発明に含まれる。従って本発明は、限定的に解釈されるべきではなく、本発明の思想の範囲内に帰属する他の任意の技術にも適用することが可能である。
【００９９】
例えば、上述した実施形態では、平板の印刷版を用いて転写を行っていたが、これに限らず、円筒形状の印刷版を用いて転写を行ってもよい。また、上述した実施形態のうち切削刃を用いるものでは、単一のノーズ部を有する切削刃によって切削を行ったが、複数のノーズ部を有する異形切削刃によって切削を行っても良い。
【０１００】
また、例えば、上述した実施形態では、ブランケット９を介して印刷基材１２にインキを転写していたが、これに限らず、印刷版から直接印刷基材１２にインキを転写してもよい。また、例えば、上述した実施形態では、インキの印刷パターンが印刷基材１２の上に
形成されていることとしたが、これに限らず、当該印刷パターンが印刷基材１２の上に形成された後に、印刷基材１２が除去されて、印刷パターンのみによりその形状を保持する態様としてもよい。
【０１０１】
また、本発明では、その実施形態において前述の導電性インキを用いた場合に、インキに付与された導電性は、例えば印刷層に通電することによる真贋判定や、電気回路部材としての利用など、各種の用途に利用することができる他、クロミック材料を用いることにより電力や物理的、化学的作用により可逆反応を示すことによる真贋判定や、電気回路部材としての利用など、各種の用途に利用することができる。
【符号の説明】
【０１０２】
１：印刷物
２、１２：印刷基材
３：印刷部
４、４ｅ、４ｆ、４ｇ、４ｈ、４ｉ、４ｊ、４ｋ：線（又は有色線）
８：印刷装置
９：ブランケット
１０：印刷版
１１：ブランケット胴
１２：印刷基材
１３：インキ
１４：印刷版固定用定盤
１５：基材固定用定盤
１６：印刷版母材
１７：円筒体
１８：銅めっき層
１９：剥離層
２０：銅バラード層
２１：ドクターブレード
Ｃ、Ｃ’：断面部位
Ｄ、Ｄ’：断面部位
Ｅ、Ｆ：線幅
【図１】
2019018504.tif 000003
【図２】
2019018504.tif 000004
【図３】
2019018504.tif 000005
【図４】
2019018504.tif 000006
【図５】
2019018504.tif 000007
【図６】
2019018504.tif 000008
【図７】
2019018504.tif 000009
【図８】
2019018504.tif 000010
【図９】
2019018504.tif 000011
【図１０】
2019018504.tif 000012
【図１１】
2019018504.tif 000013
【図１２】
2019018504.tif 000014
【図１３】
2019018504.tif 000015
【図１４】
2019018504.tif 000016
【図１５】
2019018504.tif 000017